(57)【要約】      （修正有）【課題】利用者が所望するコンテンツを提供する複数の公式サイトの入会処理を一括で行うことができる一括入会処理装置、一括入会処理方法、及びプログラムを提供する。【解決手段】利用者により所望の公式サイトが選択された場合Ｓ２０、当該選択された公式サイトにおけるルール情報を取得しＳ３０、入会処理を実行するために用いられる利用者識別情報の入力画面Ｓ４０から、利用者により入力部を介して利用者識別情報が入力された場合Ｓ５０、取得されたルール情報を用いて、選択された公式サイトにおける入会処理受付ページまで遷移し、遷移した入会処理受付ページに対して、入力された利用者識別情報を、選択された公式サイトを配信する所望のコンテンツサーバへ通信制御インターフェース部を介して送信することにより、所望の公式サイトの入会処理を一括で実行するＳ６０。【選択図】図５
2016015104.tif 000002
【特許請求の範囲】
【請求項１】
コンテンツを提供する公式サイトを配信する複数のコンテンツサーバと通信制御インターフェース部を介して通信可能に接続された、制御部と記憶部と入力部と表示部とを少なくとも備えた一括入会処理装置であって、
前記記憶部は、
前記コンテンツを提供する複数の公式サイトの一覧を含む案件情報を記憶する案件情報記憶手段と、
各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、
を備え、
前記制御部は、
前記案件情報記憶手段に記憶された前記案件情報を前記表示部に表示させるように制御する案件情報表示制御手段と、
前記案件情報表示制御手段により前記表示部に表示された前記案件情報から、利用者により前記入力部を介して所望の公式サイトが選択された場合、当該選択された公式サイトにおける前記ルール情報を、前記ルール情報記憶手段から取得するルール情報取得手段と、
前記選択された公式サイトの入会処理を実行するために用いられる利用者識別情報の入力画面を、前記表示部に表示させるように制御する入力画面表示制御手段と、
前記入力画面表示制御手段により前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行手段と、
を備えたことを特徴とする一括入会処理装置。
【請求項２】
コンテンツを提供する公式サイトを配信する複数のコンテンツサーバと通信制御インターフェース部を介して通信可能に接続された、制御部と記憶部と入力部と表示部とを少なくとも備えた一括入会処理装置において実行される一括入会処理方法であって、
前記記憶部は、
前記コンテンツを提供する複数の公式サイトの一覧を含む案件情報を記憶する案件情報記憶手段と、
各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、
を備え、
前記制御部において、
前記案件情報記憶手段に記憶された前記案件情報を前記表示部に表示させるように制御する案件情報表示制御ステップと、
前記案件情報表示制御ステップにて前記表示部に表示された前記案件情報から、利用者により前記入力部を介して所望の公式サイトが選択された場合、当該選択された公式サイトにおける前記ルール情報を、前記ルール情報記憶手段から取得するルール情報取得ステップと、
前記選択された公式サイトの入会処理を実行するために用いられる利用者識別情報の入力画面を、前記表示部に表示させるように制御する入力画面表示制御ステップと、
前記入力画面表示制御ステップにて前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行ステップと、
を含むことを特徴とする一括入会処理方法。
【請求項３】
コンテンツを提供する公式サイトを配信する複数のコンテンツサーバと通信制御インターフェース部を介して通信可能に接続された、制御部と記憶部と入力部と表示部とを少なくとも備えた一括入会処理装置に実行させるためのプログラムであって、
前記記憶部は、
前記コンテンツを提供する複数の公式サイトの一覧を含む案件情報を記憶する案件情報記憶手段と、
各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、
を備え、
前記制御部において、
前記案件情報記憶手段に記憶された前記案件情報を前記表示部に表示させるように制御する案件情報表示制御ステップと、
前記案件情報表示制御ステップにて前記表示部に表示された前記案件情報から、利用者により前記入力部を介して所望の公式サイトが選択された場合、当該選択された公式サイトにおける前記ルール情報を、前記ルール情報記憶手段から取得するルール情報取得ステップと、
前記選択された公式サイトの入会処理を実行するために用いられる利用者識別情報の入力画面を、前記表示部に表示させるように制御する入力画面表示制御ステップと、
前記入力画面表示制御ステップにて前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行ステップと、
を実行させるためのプログラム。
【発明の詳細な説明】
【技術分野】
【０００１】  本発明は、一括入会処理装置、一括入会処理方法、及びプログラムに関する。
【背景技術】
【０００２】  従来、特定のコンテンツを提供する公式サイトに入会を希望する利用者は、当該利用者が所持する情報処理端末から所望の公式サイトにアクセスし、当該公式サイトが提供するコンテンツを利用可能になるための入会処理受付ページにおいて、利用者識別情報を入力することで、入力処理を行っている。【０００３】  利用者が複数のコンテンツを利用することを希望する場合、当該利用者は、所望のコンテンツを提供する公式サイトに１件ずつアクセスし、入力処理を行う必要があった。また、公式サイト内で入会処理受付ページが存在するサイト内の階層及び位置は、各公式サイトごとに異なるため、利用者は、各公式サイトごとに入力処理受付ページが存在するサイト内の階層及び位置を把握して、当該入力処理受付ページまで辿りつくまでの遷移操作を行う必要があった。【０００４】  そのため、近年、利用者が複数のコンテンツを利用することを希望する場合、利用者が所望するコンテンツを提供する複数の公式サイトの入会処理を一括で行うことができる技術が求められている。ここで、各種入会処理を行う従来技術として、例えば、特許文献１〜２等の技術が報告されているが、上述のように、複数の公式サイトの入会処理を一括で行う技術については未だ報告されていない。
【先行技術文献】
【特許文献】
【０００５】
【特許文献１】特開２０１４−１１００１１号公報
【特許文献２】特開２０１４−１０６５５９号公報
【発明の概要】
【発明が解決しようとする課題】
【０００６】  このように、従来技術では、利用者が複数のコンテンツを利用することを希望する場合、利用者が所望するコンテンツを提供する複数の公式サイトの入会処理を一括で行うことができないという問題点を有していた。【０００７】  本発明は、上記問題点に鑑みてなされたもので、利用者が所望するコンテンツを提供する複数の公式サイトの入会処理を一括で行うことができる一括入会処理装置、一括入会処理方法、及びプログラムを提供することを目的とする。
【課題を解決するための手段】
【０００８】  このような目的を達成するため、本発明の一括入会処理装置は、コンテンツを提供する公式サイトを配信する複数のコンテンツサーバと通信制御インターフェース部を介して通信可能に接続された、制御部と記憶部と入力部と表示部とを少なくとも備えた一括入会処理装置であって、前記記憶部は、前記コンテンツを提供する複数の公式サイトの一覧を含む案件情報を記憶する案件情報記憶手段と、各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、を備え、前記制御部は、前記案件情報記憶手段に記憶された前記案件情報を前記表示部に表示させるように制御する案件情報表示制御手段と、前記案件情報表示制御手段により前記表示部に表示された前記案件情報から、利用者により前記入力部を介して所望の公式サイトが選択された場合、当該選択された公式サイトにおける前記ルール情報を、前記ルール情報記憶手段から取得するルール情報取得手段と、前記選択された公式サイトの入会処理を実行するために用いられる利用者識別情報の入力画面を、前記表示部に表示させるように制御する入力画面表示制御手段と、前記入力画面表示制御手段により前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行手段と、を備えたことを特徴とする。【０００９】  また、本発明の一括入会処理方法は、コンテンツを提供する公式サイトを配信する複数のコンテンツサーバと通信制御インターフェース部を介して通信可能に接続された、制御部と記憶部と入力部と表示部とを少なくとも備えた一括入会処理装置において実行される一括入会処理方法であって、前記記憶部は、前記コンテンツを提供する複数の公式サイトの一覧を含む案件情報を記憶する案件情報記憶手段と、各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、を備え、前記制御部において、前記案件情報記憶手段に記憶された前記案件情報を前記表示部に表示させるように制御する案件情報表示制御ステップと、前記案件情報表示制御ステップにて前記表示部に表示された前記案件情報から、利用者により前記入力部を介して所望の公式サイトが選択された場合、当該選択された公式サイトにおける前記ルール情報を、前記ルール情報記憶手段から取得するルール情報取得ステップと、前記選択された公式サイトの入��処理を実行するために用いられる利用者識別情報の入力画面を、前記表示部に表示させるように制御する入力画面表示制御ステップと、前記入力画面表示制御ステップにて前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行ステップと、を含むことを特徴とする。【００１０】  また、本発明のプログラムは、コンテンツを提供する公式サイトを配信する複数のコンテンツサーバと通信制御インターフェース部を介して通信可能に接続された、制御部と記憶部と入力部と表示部とを少なくとも備えた一括入会処理装置に実行させるためのプログラムであって、前記記憶部は、前記コンテンツを提供する複数の公式サイトの一覧を含む案件情報を記憶する案件情報記憶手段と、各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、を備え、前記制御部において、前記案件情報記憶手段に記憶された前記案件情報を前記表示部に表示させるように制御する案件情報表示制御ステップと、前記案件情報表示制御ステップにて前記表示部に表示された前記案件情報から、利用者により前記入力部を介して所望の公式サイトが選択された場合、当該選択された公式サイトにおける前記ルール情報を、前記ルール情報記憶手段から取得するルール情報取得ステップと、前記選択された公式サイトの入会処理を実行するために用いられる利用者識別情報の入力画面を、前記表示部に表示させるように制御する入力画面表示制御ステップと、前記入力画面表示制御ステップにて前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行ステップと、を実行させることを特徴とする。
【発明の効果】
【００１１】  本発明に係る一括入会処理装置、一括入会処理方法、及びプログラムによれば、利用者が所望するコンテンツを提供する複数の公式サイトの入会処理を一括で行うことができるという効果を奏する。
【図面の簡単な説明】
【００１２】
【図１】  図１は、実施形態に係る一括入会処理装置の構成の一例を示すブロック図である。
【図２】  図２は、実施形態に係る案件情報の一例を示す図である。
【図３】  図３は、実施形態に係る入力画面の一例を示す図である。
【図４】  図４は、実施形態に係る登録完了画面の一例を示す図である。
【図５】  図５は、実施形態に係る一括入会処理装置において実行される処理の一例を示すフローチャートである。
【発明を実施するための形態】
【００１３】  以下に、本発明にかかる一括入会処理装置及び一括入会処理方法並びにプログラムの実施の形態を図面に基づいて詳細に説明する。なお、この実施の形態によりこの発明が限定されるものではない。
【００１４】  まず、実施形態に係る一括入会処理装置の構成について図１を参照して説明する。図１は、実施形態に係る一括入会処理装置の構成の一例を示すブロック図である。
【００１５】  実施形態に係る一括入会処理装置１００は、コンテンツを提供する公式サイトを配信する複数のコンテンツサーバ２００−１〜ｎと、ネットワーク３００を介して通信可能に接続して構成されている。
【００１６】  図１において、ネットワーク３００は、一括入会処理装置１００とコンテンツサーバ２００−１〜ｎとを相互に接続する機能を有し、例えば、インターネット等である。
【００１７】  図において、コンテンツサーバ２００−１〜ｎは、ネットワーク３００を介して、一括入会処理装置１００と相互に接続され、利用者に対してコンテンツを提供する公式サイト等を提供する機能を有する。
【００１８】  ここで、コンテンツサーバ２００−１〜ｎは、ＷＥＢサーバやＡＳＰサーバ等として構成していてもよい。また、コンテンツサーバ２００−１〜ｎのハードウェア構成は、一般に市販されるワークステーション、パーソナルコンピュータ等の情報処理装置およびその付属装置により構成していてもよい。また、コンテンツサーバ２００−１〜ｎの各機能は、コンテンツサーバ２００−１〜ｎのハードウェア構成中のＣＰＵ、ディスク装置、メモリ装置、入力装置、出力装置、通信制御装置等およびそれらを制御するプログラム等により実現される。
【００１９】  図１において一括入会処理装置１００は、概略的に、制御部１０２と通信制御インターフェース部１０４と入出力制御インターフェース部１０８と記憶部１０６とを備えて構成される。ここで、制御部１０２は、一括入会処理装置１００の全体を統括的に制御するＣＰＵ等である。また、通信制御インターフェース部１０４は、通信回線等に接続されるルータ等の通信装置（図示せず）に接続されるインターフェースであり、入出力制御インターフェース部１０８は、入力部１１２や表示部１１４に接続されるインターフェースである。また、記憶部１０６は、各種のデータベースやテーブルなどを格納する装置である。これら制御部１００の各部は任意の通信路を介して通信可能に接続されている。更に、この制御部１００は、ルータ等の通信装置および専用線等の有線または無線の通信回線を介して、ネットワーク３００に通信可能に接続されている。本実施形態において、一括入会処理端末１００は、パーソナルコンピュータ等の情報処理端末装置であってもよいし、携帯電話やスマートフォン等の携帯型の情報処理端末装置であってもよい。
【００２０】  記憶部１０６に格納される各種のデータベースやテーブル（案件情報データベース１０６ａ〜ルール情報データベース１０６ｂ）は、固定ディスク装置等のストレージ手段である。例えば、記憶部１０６は、各種処理に用いる各種のプログラムやテーブルやファイルやデータベースやウェブページ等を格納する。
【００２１】  これら記憶部１０６の各構成要素のうち、案件情報データベース１０６ａは、コンテンツを提供する複数の公式サイトの一覧を含む案件情報を記憶する案件情報記憶手段である。本実施形態において、コンテンツは、利用者が所持する一括入会処理装置１００において利用可能なデータやプログラム等である。例えば、コンテンツとしては、ゲーム、書籍、コミック、きせかえ、待受、ニュース、芸能ニュース、スポーツニュース、新聞、天気、占い、地図、交通、旅行、ツール、ナビゲーション、メールツール、デコレーション、ＳＮＳ、ブログ、エンターテインメント、アーティスト情報、芸能情報、映画情報、テレビ、ラジオ、スポーツ、健康、医療、ダイエット、女性の身体、グルメ情報、料理、レシピ、ショッピング、オークション、クーポン、趣味、生活情報、ファッション、コスメ、車、バイク、公営くじ、パチンコ、スロット、音楽、音楽ダウンロード、待ちうた、着うた、着信メロディ、映画、アイドル、グラビア、アニメ、映像、語学、留学、受験、進学、辞典、辞書、資格、ビジネス、求人、転職、アルバイト等といった分野に関する情報を含むが、これらに限定されない。また、本実施形態において、案件情報は、各公式サイトが提供するコンテンツの概要を示す概要情報を含む。この概要情報には、例えば、各コンテンツの名称、各コンテンツのロゴ、月額利用料等が含まれる。ここで、案件情報データベース１０６ａに記憶される案件情報は、後述の制御部１０２の処理により表示部１１４に表示される際に用いられる。
【００２２】  また、ルール情報データベース１０６ｂは、各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段である。本実施形態において、ルール情報とは、各公式サイトごとに異なるＨＴＭＬ（公式サイトのＨＴＭＬ）を解析して得られた、入会を行うための順序を記述した情報を意味する。入会を行うための順序とは、各公式サイトが提供するコンテンツを利用可能になるための入会処理受付ページにたどり着くまでの順序を意味する。各公式サイトでは、利用者識別情報（例えば、ＩＤやパスワード）が入会処理受付ページにおいて入力されることで入会処理が完了する。利用者識別情報は、ＩＤやパスワードに限定されず、利用者を特定するための情報であればよい。ここで、ルール情報データベース１０６ｂに記憶されるルール情報は、後述の制御部１０２の処理により利用者が所望する公式サイトの入会処理を一括で実行する際に用いられる。
【００２３】  また、図１において、通信制御インターフェース部１０４は、一括入会処理装置１００とネットワーク３００（またはルータ等の通信装置）との間における通信制御を行う。すなわち、通信制御インターフェース部１０４は、他の端末と通信回線を介してデータを通信する機能を有する。
【００２４】  また、図１において、入出力制御インターフェース部１０８は、入力部１１２や表示部１１４の制御を行う。ここで、表示部１１４としては、モニタ（家庭用テレビを含む）等を用いることができる。また、入力部１１２としては、キーボード、マウス、およびマイク等を用いることができる。なお、一括入会処理装置１００がスマートフォン等の携帯型の情報処理端末装置である場合、入力部１１２と表示部１１４とはタッチパネル型で構成されてもよい。
【００２５】  また、図１において、制御部１０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、案件情報表示制御部１０２ａ、ルール情報取得部１０２ｂ、入力画面表示制御部１０２ｃ、一括入会処理実行部１０２ｄを備えて構成されている。
【００２６】  このうち、案件情報表示制御部１０２ａは、案件情報データベース１０６ｂに記憶された案件情報を表示部１１４に表示させるように制御する案件情報表示制御手段である。ここで、案件情報表示制御部１０２ａは、図２に示すように、案件情報として、各公式サイトが提供するコンテンツの概要を示す概要情報（例えば、各コンテンツの名称、各コンテンツのロゴ、月額利用料等の情報）を表示部１１４に表示させるように制御する。図２は、実施形態に係る案件情報の一例を示す図である。図２おいて、各コンテンツの概要情報には、利用者により選択可能なようにチェックボックス等の選択手段が付与されている。
【００２７】  また、ルール情報取得部１０２ｂは、案件情報表示制御部１０２ａにより表示部１１４に表示された案件情報から、利用者により入力部１１２を介して所望の公式サイトが選択された場合、当該選択された公式サイトにおけるルール情報を、ルール情報データベース１０６ｂから取得するルール情報取得手段である。
【００２８】  また、入力画面表示制御部１０２ｃは、選択された公式サイトの入会処理を実行するために用いられる利用者識別情報の入力画面を、表示部１１４に表示させるように制御する入力画面表示制御手段である。ここで、入力画面表示制御部１０２ｃは、図３に示すように、利用者が所望するコンテンツを提供する公式サイトの入会処理を完了させるために必要な決済を行う際に必要となる４桁数字の暗証番号であるパスワードを利用者識別情報として入力させる入力画面を、表示部１１４に表示させるように制御する。図３は、実施形態に係る入力画面の一例を示す図である。図３において、入力画面には、利用者によりパスワードが入力可能なように暗証番号の入力欄等が含まれている。
【００２９】  また、一括入会処理実行部１０２ｄは、入力画面表示制御部１０２ｃにより表示部１１４に表示された入力画面から、利用者により入力部１１２を介して利用者識別情報が入力された場合、ルール情報取得部１０２ｂにより取得されたルール情報を用いて、選択された公式サイトにおける入会処理受付ページまで遷移し、当該遷移した入会処理受付ページに対して、入力された利用者識別情報を、選択された公式サイトを配信する所望のコンテンツサーバへ通信制御インターフェース部１０４を介して送信することにより、所望の公式サイトの入会処理を一括で実行する一括入会処理実行手段である。ここで、一括入力処理実行部１０２ｄは、所望の公式サイトの入会処理を一括で実行して完了した際には、図４に示すように、一括入会処理を完了したことを利用者に対して通知する登録完了画面を表示部１１４に表示させるように制御する。図４は、実施形態に係る登録完了画面の一例を示す図である。図４において、登録完了画面には、利用者が所望する公式サイトの入会処理が完了したことを示すメッセージ等が含まれている。
【００３０】  次に、このように構成された本実施形態における一括入会処理装置１００の処理の一例について、以下に図５を参照して詳細に説明する。図５は、実施形態に係る一括入会処理装置において実行される処理の一例を示すフローチャートである。
【００３１】  図５に示すように、案件情報表示制御部１０２ａは、案件情報データベース１０６ｂに記憶された案件情報を表示部１１４に表示させるように制御する（ステップＳ１０）。
【００３２】  そして、制御部１０２は、ステップＳ１０において案件情報表示制御部１０２ａの処理により表示部１１４に表示された案件情報から、利用者により入力部１１２を介して所望の公式サイトを選択する選択操作が完了したか否かを判定する（ステップＳ２０）。
【００３３】  ここで、ステップＳ２０において、制御部１０２は、選択操作が完了したと判定した場合（ステップＳ２０：Ｙｅｓ）、次のステップＳ３０の処理へ移行する。一方、ステップＳ２０において、制御部１０２は、選択操作が完了していないと判定した場合（ステップＳ２０：Ｎｏ）、選択操作が完了したと判定されるまで、ステップＳ２０にて案件情報を表示する制御を実行する。
【００３４】  そして、ルール情報取得部１０２ｂは、ステップＳ１０において案件情報表示制御部１０２ａの処理により表示部１１４に表示された案件情報から、ステップＳ２０において利用者により入力部１１２を介して所望の公式サイトが選択された場合、当該選択された公式サイトにおけるルール情報を、ルール情報データベース１０６ｂから取得する（ステップＳ３０）。
【００３５】  そして、入力画面表示制御部１０２ｃは、ステップＳ２０において選択された公式サイトの入会処理を実行するために用いられる利用者識別情報の入力画面を、表示部１１４に表示させるように制御する（ステップＳ４０）。
【００３６】  そして、制御部１０２は、ステップＳ４０において入力画面表示制御部１０２ｃの処理により表示部１１４に表示された入力画面から、利用者により入力部１１２を介して利用者識別情報を入力する入力操作が完了したか否かを判定する（ステップＳ５０）。
【００３７】  ここで、ステップＳ５０において、制御部１０２は、入力操作が完了したと判定した場合（ステップＳ５０：Ｙｅｓ）、次のステップＳ６０の処理へ移行する。一方、ステップＳ５０において、制御部１０２は、入操作が完了していないと判定した場合（ステップＳ５０：Ｎｏ）、入力操作が完了したと判定されるまで、ステップＳ４０にて入力画面を表示する制御を実行する。
【００３８】  そして、一括入会処理実行部１０２ｄは、ステップＳ４０において入力画面表示制御部１０２ｃの処理により表示部１１４に表示された入力画面から、ステップＳ５０において利用者により入力部１１２を介して利用者識別情報が入力された場合、ステップＳ３０においてルール情報取得部１０２ｂの処理により取得されたルール情報を用いて、ステップＳ２０において選択された公式サイトにおける入会処理受付ページまで遷移し、当該遷移した入会処理受付ページに対して、入力された利用者識別情報を、ステップＳ２０において選択された公式サイトを配信する所望のコンテンツサーバへ通信制御インターフェース部１０４を介して送信することにより、所望の公式サイトの入会処理を一括で実行する（ステップＳ６０）。その後、本処理を終了する。
【００３９】  以上説明したように、本実施形態に係る一括入会処理装置、一括入会処理方法、及びプログラムによれば、利用者が所望するコンテンツを提供する複数の公式サイトの入会処理を一括で行うことができる。
【００４０】  さて、これまで本発明の実施形態について説明したが、本発明は、上述した実施形態以外にも、特許請求の範囲に記載した技術的思想の範囲内において種々の異なる実施の形態にて実施されてよいものである。
【００４１】  上述の実施形態では、一括入会処理装置１００がコンテンツサーバ２００−１〜ｎと通信可能に接続され、案件情報データベース１０６ａ及びルール情報データベース１０６ｂを一括入会処理装置１００の記憶部１０６内に備えられた場合を一例に説明したが、これに限定されない。例えば、案件情報記憶手段及びルール情報記憶手段を一括入会処理装置１００の記憶部１０６内に備えずに、外部のデータベースサーバに備えさせてもよい。この場合、一括入会処理装置１００は、コンテンツサーバ２００−１〜ｎと、データベースサーバと、通信可能に接続された構成となり、一括入会処理システムとしての実施形態となる。この一括入会処理システムでは、上述した実施形態と同様の効果を奏する。なお、この実施形態における一括入会処理システムの詳細については、後述の［付記］を参照されたい。
【００４２】  また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００４３】  このほか、上記文献中や図面中で示した処理手順、制御手順、具体的名称、各処理の登録データや検索条件等のパラメータを含む情報、画面例、データベース構成については、特記する場合を除いて任意に変更することができる。
【００４４】  また、一括入会処理装置１００に関して、図示の各構成要素は機能概念的なものであり、必ずしも物理的に図示の如く構成されていることを要しない。
【００４５】  例えば、一括入会処理装置１００の各装置が備える処理機能、特に制御部１０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する記録媒体に記録されており、必要に応じて一括入会処理装置１００に機械的に読み取られる。すなわち、ＲＯＭまたはＨＤなどの記憶部１０６などは、ＯＳ（Ｏｐｅｒａｔｉｎｇ  Ｓｙｓｔｅｍ）として協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００４６】  また、このコンピュータプログラムは、一括入会処理装置１００に対して任意のネットワーク３００を介して接続されたアプリケーションプログラムサーバに記憶されていてもよく、必要に応じてその全部または一部をダウンロードすることも可能である。
【００４７】  また、本発明に係るプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【００４８】  また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００４９】  記憶部１０６に格納される各種のデータベース等（案件情報データベース１０６ａ〜ルール情報データベース１０６ｇ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやデータベースやウェブページ用ファイル等を格納する。
【００５０】  また、一括入会処理装置１００は、既知のパーソナルコンピュータ、ワークステーション等の情報処理装置を接続し、該情報処理装置に本発明の方法を実現させるソフトウェア（プログラム、データ等を含む）を実装することにより実現してもよい。
【００５１】  更に、装置の分散・統合の具体的形態は図示するものに限られず、その全部または一部を、各種の付加等に応じて、または、機能負荷に応じて、任意の単位で機能的または物理的に分散・統合して構成することができる。
【００５２】  ［付記］
また、実施形態の一括入会処理システムは、コンテンツを提供する公式サイトを配信する複数のコンテンツサーバと、記憶部を少なくとも備えたデータベースサーバと、制御部と入力部と表示部とを少なくとも備えた一括入会処理装置と、ネットワークを介して互いに通信可能に接続して構成される一括入会処理システムであって、前記データベースサーバにおいて、前記記憶部は、前記コンテンツを提供する複数の公式サイトの一覧を含む案件情報を記憶する案件情報記憶手段と、各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、を備え、前記入会処理装置において、前記制御部は、前記データベースサーバにおける前記案件情報記憶手段に記憶された前記案件情報を取得して、当該取得した案件情報を前記表示部に表示させるように制御する案件情報表示制御手段と、前記案件情報表示制御手段により前記表示部に表示された前記案件情報から、利用者により前記入力部を介して所望の公式サイトが選択された場合、当該選択された公式サイトにおける前記ルール情報を、前記データベースサーバにおける前記ルール情報記憶手段から取得するルール情報取得手段と、前記選択された公式サイトの入会処理を実行するために用いられる利用者識別情報の入力画面を、前記表示部に表示させるように制御する入力画面表示制御手段と、前記入力画面表示制御手段により前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行手段と、を備えたことを特徴とする。
【００５３】  また、実施形態の一括入会処理方法は、コンテンツを提供する公式サイトを配信する複数のコンテンツサーバと、記憶部を少なくとも備えたデータベースサーバと、制御部と入力部と表示部とを少なくとも備えた一括入会処理装置と、ネットワークを介して互いに通信可能に接続して構成される一括入会処理システムにおいて実行される一括入会処理方法であって、前記データベースサーバにおいて、前記記憶部は、前記コンテンツを提供する複数の公式サイトの一覧を含む案件情報を記憶する案件情報記憶手段と、各公式サイトが提供する各コンテンツを利用可能となる会員になるための入会処理を受け付ける入会処理受付ページに関するルール情報であって、各公式サイトにおける入会処理受付ページまでのリンク順及びリンク位置を定義したルール情報を記憶するルール情報記憶手段と、を備え、前記入会処理装置において、前記制御部において実行される、前記データベースサーバにおける前記案件情報記憶手段に記憶された前記案件情報を取得して、当該取得した案件情報を前記表示部に表示させるように制御する案件情報表示制御ステップと、前記案件情報表示制御ステップにて前記表示部に表示された前記案件情報から、利用者により前記入力部を介して所望の公式サイトが選択された場合、当該選択された公式サイトにおける前記ルール情報を、前記データベースサーバにおける前記ルール情報記憶手段から取得するルール情報取得ステップと、前記選択された公式サイトの入会処理を実行するために用いられる利用者識別情報の入力画面を、前記表示部に表示させるように制御する入力画面表示制御ステップと、前記入力画面表示制御ステップにて前記表示部に表示された前記入力画面から、前記利用者により前記入力部を介して前記利用者識別情報が入力された場合、前記ルール情報取得手段により取得された前記ルール情報を用いて、前記選択された公式サイトにおける入会処理受付ページまで遷移し、当該遷移した入会処理受付ページに対して、前記入力された利用者識別情報を、前記選択された公式サイトを配信する所望のコンテンツサーバへ前記通信制御インターフェース部を介して送信することにより、前記所望の公式サイトの入会処理を一括で実行する一括入会処理実行ステップと、を含むことを特徴とする。
【符号の説明】
【００５４】１００  一括入会処理装置
１０２  制御部
１０２ａ  案件情報表示制御部
１０２ｂ  ルール情報取得部
１０２ｃ  入力画面表示制御部
１０２ｄ  一括入会処理実行部
１０４  通信制御インターフェース部
１０６  記憶部
１０６ａ  案件情報データベース
１０６ｂ  ルール情報データベース
１０８  入出力制御インターフェース部
１１２  入力部
１１４  表示部
２００−１〜ｎ  コンテンツサーバ
３００  ネットワーク
【図１】
2016015104.tif 000003
【図２】
2016015104.tif 000004
【図３】
2016015104.tif 000005
【図４】
2016015104.tif 000006
【図５】
2016015104.tif 000007